(57)【要約】【課題】クライアント端末装置からサーバ装置にリンクできない場合に、サーバ装置の電源がオフであることが原因でリンクできないことを、ユーザが明確に認識することができるクライアント・サーバシステム及びサーバ装置を提供する。【解決手段】サーバ装置３は、クライアント端末装置６とのリンク中に電源オフに移行する場合に、電源オフ移行通知手段（ＣＰＵ３５１、電源オフ移行通知プログラム３５３ａ等）により、予備電源（予備電源部３４）により電源オフに移行することを通知する電源オフ移行通知信号をクライアント端末装置６に送信する。クライアント端末装置６は、受信手段（ＣＰＵ６４１、受信プログラム６４３ａ等）により電源オフ移行通知信号を受信し、報知手段（ＣＰＵ６４１、第１の報知プログラム６４３ｂ等）により、サーバ装置３が電源オフに移行したことをユーザに報知する。【選択図】図２
2007293775.tif 000002
【特許請求の範囲】
【請求項１】
一又は複数のクライアント端末装置と、当該一又は複数のクライアント端末装置と無線ネットワークを介して接続され、情報を送受信するサーバ装置と、を備えるクライアント・サーバシステムにおいて、
前記サーバ装置は、
前記クライアント端末装置とのリンク中に電源オフに移行する場合に、予備電源により、電源オフに移行することを通知する電源オフ移行通知信号を、前記クライアント端末装置に送信する電源オフ移行通知手段と、
電源オフの間、前記予備電源により、電源オフ状態であることを通知する電源オフ状態通知信号を、所定の間隔で、前記クライアント端末装置に送信する電源オフ状態通知手段と、を備え、
前記クライアント端末装置は、
前記電源オフ移行通知手段により送信された前記電源オフ移行通知信号及び前記電源オフ状態通知手段により送信された前記電源オフ状態通知信号を受信する受信手段と、
前記受信手段による前記電源オフ移行通知信号の受信に基づいて、前記サーバ装置が電源オフに移行したことをユーザに報知する第１の報知手段と、
前記受信手段による前記電源オフ状態通知信号の受信に基づいて、前記サーバ装置が電源オフ状態であることをユーザに報知する第２の報知手段と、
を備えることを特徴とするクライアント・サーバシステム。
【請求項２】
無線ネットワークを介して接続された一又は複数のクライアント端末装置との間で、情報を送受信するサーバ装置において、
前記クライアント端末装置とのリンク中に電源オフに移行する場合に、電源オフに移行することを通知する電源オフ移行通知信号を、前記クライアント端末装置に送信する電源オフ移行通知手段を備えることを特徴とするサーバ装置。
【請求項３】
前記電源オフ移行通知手段は、電源オフに移行する前に、前記電源オフ移行通知信号を、前記クライアント端末装置に送信することを特徴とする請求項２に記載のサーバ装置。
【請求項４】
前記サーバ装置は、予備電源を備え、
前記電源オフ通知手段は、電源オフに移行した後に、前記予備電源により前記電源オフ移行通知信号を、前記クライアント端末装置に送信することを特徴とする請求項２に記載のサーバ装置。
【請求項５】
一又は複数のクライアント端末装置と、当該一又は複数のクライアント端末装置と無線ネットワークを介して接続され、情報を送受信するサーバ装置と、を備えるクライアント・サーバシステムにおいて、
前記サーバ装置は、
前記クライアント端末装置とのリンク中に電源オフに移行する場合に、予備電源により、電源オフに移行することを通知する電源オフ移行通知信号を、前記クライアント端末装置に送信する電源オフ移行通知手段を備え、
前記クライアント端末装置は、
前記電源オフ移行通知手段により送信された前記電源オフ移行通知信号を受信する受信手段と、
前記受信手段による前記電源オフ移行通知信号の受信に基づいて、前記サーバ装置が電源オフに移行したことをユーザに報知する報知手段と、
を備えることを特徴とするクライアント・サーバシステム。
【請求項６】
無線ネットワークを介して接続された一又は複数のクライアント端末装置との間で、情報を送受信するサーバ装置において、
電源オフの間、予備電源により、電源オフ状態であることを通知する電源オフ状態通知信号を、所定の間隔で、前記クライアント端末装置に送信する電源オフ状態通知手段を備えることを特徴とするサーバ装置。
【請求項７】
一又は複数のクライアント端末装置と、当該一又は複数のクライアント端末装置と無線ネットワークを介して接続され、情報を送受信するサーバ装置と、を備えるクライアント・サーバシステムにおいて、
前記サーバ装置は、
電源オフの間、予備電源により、電源オフ状態であることを通知する電源オフ状態通知信号を、所定の間隔で、前記クライアント端末装置に送信する電源オフ状態通知手段を備え、
前記クライアント端末装置は、
前記電源オフ状態通知手段により送信された前記電源オフ状態通知信号を受信する受信手段と、
前記受信手段による前記電源オフ状態通知信号の受信に基づいて、前記サーバ装置が電源オフ状態であることをユーザに報知する報知手段と、
を備えることを特徴とするクライアント・サーバシステム。
【発明の詳細な説明】
【技術分野】
【０００１】
本発明は、クライアント端末装置とサーバ装置とが無線ネットワークを介して接続されるクライアント・サーバシステム及びサーバ装置に関する。
【背景技術】
【０００２】
近年、ネットワークを介して、サーバ装置からクライアント端末装置に情報（コンテンツ情報）を提供するシステムが利用されている。サーバ装置には、例えば、テレビジョン装置、ビデオレコーダ、ＰＶＲ（Personal Video Recorder）、ＢＳ（Broadcasting Satellite）放送やＣＳ（Communication Satellite）放送のチューナ、ＳＴＢ（Set Top Box
）、ＤＶＤ（Digital Versatile Disk）プレイヤー、オーディオ装置などの複数種類のＡＶ機器１が接続されており、サーバ装置に接続されるＡＶ機器１に対応したコンテンツ情報を、サーバ装置からクライアント端末装置に転送して提供することができるようになっている。
【０００３】
このようなクライアント・サーバシステムでは、クライアント端末装置がサーバ装置とリンクする場合には、サーバ装置の電源がオンされていなければならないが、サーバ装置が電源オフの場合であっても、クライアント端末装置において不都合を生じさせないための種々の技術が提案されている。
例えば、特許文献１に提案された移動通信システムおよび移動端末によれば、携帯電話機がサービス圏外の基地局に対して位置登録要求信号を送信し、基地局から位置登録受付信号を受信して待受完了状態となったとき、この待受完了状態が電源ＯＦＦ状態からＯＮ状態に移行したことによるものであれば、ネットワークに対して直ちに着信履歴自動問い合わせを実施し、一方、電源ＯＮからの待受完了ではない場合は、待受完了後Ｎ分経過した後に、ネットワークに対して着信履歴自動問い合わせを実施する。これにより、携帯電話機の電源がＯＦＦからＯＮに切り替えられた場合および電源ＯＮ状態の携帯電話機がサービスエリア圏外からサービスエリア圏内へ移動した場合のそれぞれの場合に応じて、留守番電話サーバーもしくはメールサーバーへの問い合わせを効率よく実施することができる。
また、特許文献２に開示された携帯電話システムによれば、建物の入口等に簡易基地局装置を設置して電源ＯＦＦ信号を報知し、当該信号を受信した携帯電話機は、その電話番号を簡易基地局装置に通知し、さらに簡易基地局装置から公衆基地局装置に介して無線ネットワーク内の位置管理サーバに通知し登録するとともに、無線部の電源をＯＦＦとする。これにより、使用禁止等の領域にある携帯電話機への着信要求に対し、前記位置管理サーバの登録内容を参照することにより、当該携帯電話機が通信禁止状態または休止状態にあることを認識でき、当該携帯電話機が位置登録している公衆基地局に対して無断な着信処理を行うことを防止することができる。    
【特許文献１】特開２００５−１８４２６３号公報
【特許文献２】特開平１１−６９４１２号公報
【発明の開示】
【発明が解決しようとする課題】
【０００４】
ところで、クライアント端末装置がサーバ装置とリンクできない場合に、ユーザがリンク確立の失敗の原因がサーバ装置の電源がオフであることを明確に認識できれば、無駄なリンク要求を繰り返し行うことがなくなるとともに、サーバ装置の電源をオンする等といった対策を迅速に行うことができる。しかしながら、上記特許文献１及び２の技術では、リンク確立ができない場合の無駄なリンク要求（問い合わせ、着信処理）を防止することはできるものの、サーバ装置の電源がオフであることが原因でリンク不可能であるのか、或いはその他の理由によりリンク不可能であるのかを、ユーザが明確に認識することはできない。
【０００５】
本発明の課題は、クライアント端末装置からサーバ装置にリンクできない場合に、サーバ装置の電源がオフであることが原因でリンクできないことを、ユーザが明確に認識することができるクライアント・サーバシステム及びサーバ装置を提供することである。
【課題を解決するための手段】
【０００６】
上記課題を解決するため、請求項１に記載の発明は、一又は複数のクライアント端末装置と、当該一又は複数のクライアント端末装置と無線ネットワークを介して接続され、情報を送受信するサーバ装置と、を備えるクライアント・サーバシステムにおいて、
前記サーバ装置は、
前記クライアント端末装置とのリンク中に電源オフに移行する場合に、予備電源により、電源オフに移行することを通知する電源オフ移行通知信号を、前記クライアント端末装置に送信する電源オフ移行通知手段と、
電源オフの間、前記予備電源により、電源オフ状態であることを通知する電源オフ状態通知信号を、所定の間隔で、前記クライアント端末装置に送信する電源オフ状態通知手段と、を備え、
前記クライアント端末装置は、
前記電源オフ移行通知手段により送信された前記電源オフ移行通知信号及び前記電源オフ状態通知手段により送信された前記電源オフ状態通知信号を受信する受信手段と、
前記受信手段による前記電源オフ移行通知信号の受信に基づいて、前記サーバ装置が電源オフに移行したことをユーザに報知する第１の報知手段と、
前記受信手段による前記電源オフ状態通知信号の受信に基づいて、前記サーバ装置が電源オフ状態であることをユーザに報知する第２の報知手段と、
を備えることを特徴とする。
【０００７】
請求項２に記載の発明は、無線ネットワークを介して接続された一又は複数のクライアント端末装置との間で、情報を送受信するサーバ装置において、
前記クライアント端末装置とのリンク中に電源オフに移行する場合に、電源オフに移行することを通知する電源オフ移行通知信号を、前記クライアント端末装置に送信する電源オフ移行通知手段を備えることを特徴とする。
【０００８】
請求項３に記載の発明は、請求項２に記載のサーバ装置において、前記電源オフ移行通知手段は、電源オフに移行する前に、前記電源オフ移行通知信号を、前記クライアント端末装置に送信することを特徴とする。
【０００９】
請求項４に記載の発明は、請求項２に記載のサーバ装置において、前記サーバ装置は、予備電源を備え、
前記電源オフ通知手段は、電源オフに移行した後に、前記予備電源により前記電源オフ移行通知信号を、前記クライアント端末装置に送信することを特徴とする。
【００１０】
請求項５に記載の発明は、一又は複数のクライアント端末装置と、当該一又は複数のクライアント端末装置と無線ネットワークを介して接続され、情報を送受信するサーバ装置と、を備えるクライアント・サーバシステムにおいて、
前記サーバ装置は、
前記クライアント端末装置とのリンク中に電源オフに移行する場合に、予備電源により、電源オフに移行することを通知する電源オフ移行通知信号を、前記クライアント端末装置に送信する電源オフ移行通知手段を備え、
前記クライアント端末装置は、
前記電源オフ移行通知手段により送信された前記電源オフ移行通知信号を受信する受信手段と、
前記受信手段による前記電源オフ移行通知信号の受信に基づいて、前記サーバ装置が電源オフに移行したことをユーザに報知する報知手段と、
を備えることを特徴とする。
【００１１】
請求項６に記載の発明は、無線ネットワークを介して接続された一又は複数のクライアント端末装置との間で、情報を送受信するサーバ装置において、
電源オフの間、予備電源により、電源オフ状態であることを通知する電源オフ状態通知信号を、所定の間隔で、前記クライアント端末装置に送信する電源オフ状態通知手段を備えることを特徴とする。
【００１２】
請求項７に記載の発明は、一又は複数のクライアント端末装置と、当該一又は複数のクライアント端末装置と無線ネットワークを介して接続され、情報を送受信するサーバ装置と、を備えるクライアント・サーバシステムにおいて、
前記サーバ装置は、
電源オフの間、予備電源により、電源オフ状態であることを通知する電源オフ状態通知信号を、所定の間隔で、前記クライアント端末装置に送信する電源オフ状態通知手段を備え、
前記クライアント端末装置は、
前記電源オフ状態通知手段により送信された前記電源オフ状態通知信号を受信する受信手段と、
前記受信手段による前記電源オフ状態通知信号の受信に基づいて、前記サーバ装置が電源オフ状態であることをユーザに報知する報知手段と、
を備えることを特徴とする。
【発明の効果】
【００１３】
請求項１に記載の発明によれば、サーバ装置は、電源オフ移行通知手段により、クライアント端末装置とのリンク中に電源オフに移行する場合に、予備電源により、電源オフに移行することを通知する電源オフ移行通知信号を、クライアント端末装置に送信し、電源オフ状態通知手段により、電源オフの間、予備電源により、電源オフ状態であることを通知する電源オフ状態通知信号を、所定の間隔で、クライアント端末装置に送信する。また、クライアント端末装置は、受信手段により、電源オフ移行通知手段により送信された電源オフ移行通知信号及び電源オフ状態通知信号を受信し、受信手段による電源オフ移行通知信号の受信に基づいて、第１の報知手段により、サーバ装置が電源オフに移行したことをユーザに報知し、第２の報知手段により、受信手段による電源オフ状態通知信号の受信に基づいて、サーバ装置が電源オフ状態であることをユーザに報知する。
従って、当該電源オフ移行通知信号の受信に基づく第１の報知手段による報知及び電源オフ状態通知信号の受信に基づく第２の報知手段による報知により、クライアント端末装置からサーバ装置にリンクできない場合に、サーバ装置の電源がオフであることが原因でリンクできないことを、ユーザが明確に認識することができる。
【００１４】
請求項２に記載の発明によれば、サーバ装置は、電源オフ移行通知手段により、クライアント端末装置とのリンク中に電源オフに移行する場合に、電源オフに移行することを通知する電源オフ移行通知信号を、クライアント端末装置に送信する。従って、当該電源オフ移行通知信号により、クライアント端末装置からサーバ装置にリンクできない場合に、サーバ装置の電源がオフであることが原因でリンクできないことを、ユーザが明確に認識することができる。
【００１５】
請求項３に記載の発明によれば、請求項２に記載の発明の効果が得られるのは無論のこと、サーバ装置は、電源オフに移行する前に、電源オフ移行通知信号を、クライアント端末装置に送信する。従って、予備電源を備えることなく電源オフ移行通知信号を送信できることとなって、サーバ装置の電源がオフであることが原因でリンクできないことを、ユーザが明確に認識することが可能なサーバ装置を低コストで提供することができる。
【００１６】
請求項４に記載の発明によれば、請求項２に記載の発明の効果が得られるのは無論のこと、サーバ装置は、予備電源を備え、電源オフに移行した後に、当該予備電源により電源オフ移行通知信号を、クライアント端末装置に送信する。従って、サーバ装置において電源コードが商用交流電源から抜かれる等電源供給が突然遮断された場合であっても、確実に電源オフ移行通知信号を送信できることとなる。
【００１７】
請求項５に記載の発明によれば、サーバ装置は、電源オフ移行通知手段により、クライアント端末装置とのリンク中に電源オフに移行する場合に、予備電源により、電源オフに移行することを通知する電源オフ移行通知信号を、クライアント端末装置に送信し、クライアント端末装置は、受信手段により、電源オフ移行通知手段により送信された電源オフ移行通知信号を受信し、報知手段により、受信手段による電源オフ移行通知信号の受信に基づいて、サーバ装置が電源オフに移行したことをユーザに報知する。従って、当該電源オフ移行通知信号の受信に基づく報知により、クライアント端末装置からサーバ装置にリンクできない場合に、サーバ装置の電源がオフであることが原因でリンクできないことを、ユーザが明確に認識することができる。
【００１８】
請求項６に記載の発明によれば、サーバ装置は、電源オフ状態通知手段により、電源オフの間、予備電源により、電源オフ状態であることを通知する電源オフ状態通知信号を、所定の間隔で、クライアント端末装置に送信する。従って、当該電源オフ状態通知信号により、クライアント端末装置からサーバ装置にリンクできない場合に、サーバ装置の電源がオフであることが原因でリンクできないことを、ユーザが明確に認識することができる。
【００１９】
請求項７に記載の発明によれば、サーバ装置は、電源オフ状態通知手段により、電源オフの間、予備電源により、電源オフ状態であることを通知する電源オフ状態通知信号を、所定の間隔で、クライアント端末装置に送信し、クライアント端末装置は、受信手段により、電源オフ状態通知手段により送信された電源オフ状態通知信号を受信し、報知手段は、受信手段による電源オフ状態通知信号の受信に基づいて、サーバ装置が電源オフ状態であることをユーザに報知する。従って、当該電源オフ状態通知信号の受信に基づく報知により、クライアント端末装置からサーバ装置にリンクできない場合に、サーバ装置の電源がオフであることが原因でリンクできないことを、ユーザが明確に認識することができる。
【発明を実施するための最良の形態】
【００２０】
以下、図面を参照して、本発明を実施するための最良の形態を詳細に説明する。なお、発明の範囲は、図示例に限定されない。
【００２１】
＜構成＞
まず、クライアント・サーバシステムＳ、サーバ装置３及びクライアント端末装置６の構成を説明する。
【００２２】
[クライアント・サーバシステムの構成]
クライアント・サーバシステムＳは、例えば、図１に示すように、各種ＡＶ機器１を接続するサーバ装置３と、出力装置４を接続する一又は複数のクライアント端末装置６…となどから構成される。サーバ装置３とクライアント端末装置６とは、無線ネットワークＮを介して接続されており、互いに情報を送受信することができるようになっている。サーバ装置３は当該サーバ装置３に対する遠隔操作を行うためのリモートコントロール装置（以下、リモコンという。）２を備え、また、クライアント端末装置６は当該クライアント端末装置６に対する遠隔操作を行うためのリモコン５を備えている。
なお、サーバ装置３に対するクライアント端末装置６の個数は、図１の限りでない。
【００２３】
サーバ装置３からクライアント端末装置６に送信される情報として、例えば、コンテンツ情報などがある。コンテンツ情報は、例えば、サーバ装置３に接続された各種ＡＶ機器１から取得され、クライアント端末装置６に接続された出力装置４に出力される。
クライアント端末装置６からサーバ装置３に送信される情報として、例えば、リンク確立要求及び制御要求などがある。リンク確立要求は、サーバ装置３とのリンク確立時に送信されるものであり、また、制御要求は、サーバ装置３とのリンク確立後に、サーバ装置３から送信されているコンテンツ情報を要求するものである。
具体的には、例えば、リンクの切断状態において、クライアント端末装置６は、リモコン５から一のコンテンツ情報に対する制御要求に関する信号を受信すると、初めに、リンク確立要求をサーバ装置３に送信する。サーバ装置３は、クライアント端末装置６から送信されたリンク確立要求を受信すると、予め設定されたＥＤＤ−ＩＤ（Extended Service Set IDentifier）のやり取りを行い、両装置のＥＳＳ−ＩＤが一致するか否かを判断する。サーバ装置３は、両装置のＥＳＳ−ＩＤが一致し、さらに、ＭＡＣアドレス等による認証を行ってリンク確立を許可すると、リンク確立応答を当該クライアント端末装置６に送信する。そして、クライアント端末装置６が当該リンク確立応答を受信すると、リンクが確立してリンク確立処理が終了することとなる。
クライアント端末装置６とサーバ装置３との間でリンクが確立すると、続いて、クライアント端末装置６は、リモコン５から送信された信号に対応する制御要求をサーバ装置３に送信する。当該制御要求を受信したサーバ装置３は、各種ＡＶ機器１などに対して、当該制御要求に対応した制御を実行し、当該実行の結果、得られた情報を、クライアント端末装置６に送信する。そして、当該情報を受信したクライアント端末装置６は、出力装置４などに、当該情報を出力する。
【００２４】
無線ネットワークＮは、例えば、Bluetooth規格やIEEE（Institute of Electrical and
Electronic Engineers）802.11規格に準じた無線ＬＡＮ（Local Area Network）などのネットワークである。
【００２５】
リモコン２は、例えば、図２に示すように、各種入力ボタンなどを備え、ユーザによって、各種入力ボタンのうちの何れかの入力ボタンが押下されると、当該入力ボタンに対応した信号を、サーバ装置３のリモコン信号受光部３１に送信する。具体的には、サーバ装置３の電源をオン／オフするための電源オン／オフキー２ａを備えている。
また、リモコン５は、例えば、図２に示すように、各種入力ボタンなどを備え、ユーザによって、各種入力ボタンのうちの何れかの入力ボタンが押下されると、当該入力ボタンに対応した信号を、クライアント端末装置６のリモコン信号受光部６１に送信する。
【００２６】
[サーバ装置の構成]
サーバ装置３は、例えば、図２に示すように、リモコン信号受光部３１、エンコーダ３２、主電源部３３、予備電源部（予備電源）３４、制御部３５、無線通信部３６などを備えて構成される。各部は、バス３７によって接続されている。そして、サーバ装置３は、各種ＡＶ機器１を接続している。
【００２７】
リモコン信号受光部３１は、例えば、リモコン２から送信された各種リモコン信号を受信する。
【００２８】
エンコーダ３２は、例えば、各種ＡＶ機器１からサーバ装置３に入力されるコンテンツ情報（映像情報や音声情報）を、所定のファイル形式の圧縮コンテンツ情報（圧縮映像情報や圧縮音声情報）にエンコードする。具体的には、例えば、エンコーダ３２は、各種ＡＶ機器１からサーバ装置３に入力される映像情報を、ＭＰＥＧ−２（Moving Picture Experts Group phase 2）形式などの圧縮映像情報にエンコードし、各種ＡＶ機器１からサーバ装置３に入力される音声情報を、ＡＡＣ（Advanced Audio Coding）形式などの圧縮音声情報にエンコードする。
【００２９】
主電源部３３は、例えば、図示しない電源コードを介して商用交流電源から供給された交流電圧を、所定の電圧値の直流電圧ＶＣＣ、ＶＤＤに変換し、制御部３５に出力する。当該主電源部３３は、制御部３５から出力される電源オンを命ずる制御信号を受信すると、電源オン状態となって、商用交流電源からの電源供給を有効化して全装置構成部等に対する電源供給を行うとともに、電源オフを命ずる制御信号を受信すると、電源オフ状態となって、商用交流電源からの電源供給を無効化し、サーバ装置３の全装置構成部に対する電源供給を断つ。
ここで、全装置構成部とは、本実施形態のサーバ装置３においては、リモコン信号受光部３１、エンコーダ３２、主電源部３３、予備電源部３４、制御部３５、無線通信部３６等を指している。
【００３０】
予備電源部３４は、例えば、充電可能なバッテリー（図示省略）などを内蔵し、所定の場合に、サーバ装置３の各装置構成部に電源を供給する。具体的には、予備電源部３４は、後述する電源オフ移行通知プログラム３５３ａ及び電源オフ状態通知プログラム３５３ｂの実行において、電源オフ移行通知信号及び電源オフ状態通知信号をクライアント端末装置６に送信する際に、主電源部３３に代わって制御部３５、無線通信部３６等の各装置構成部に電源供給を行う。
なお、当該予備電源部３４は、電源オン状態において、主電源部３５により充電されるようになっている。
【００３１】
制御部３５は、例えば、図２に示すように、ＣＰＵ（Central Processing Unit）３５１、ＲＡＭ（Random Access Memory）３５２、ＲＯＭ（Read Only Memory）３５３などを備えている。
【００３２】
ＣＰＵ３５１は、ＲＯＭ３５３に記憶されたサーバ装置３用の各種処理プログラムに従って各種の制御動作を行う。
【００３３】
ＲＡＭ３５２は、ＣＰＵ３５１によって実行される処理プログラムなどを展開するためのプログラム格納領域や、入力データや上記処理プログラムが実行される際に生じる処理結果などを格納するデータ格納領域などを備える。
【００３４】
ＲＯＭ３５３は、サーバ装置３で実行可能なシステムプログラム、当該システムプログラムで実行可能な各種処理プログラム、これら各種処理プログラムを実行する際に使用されるデータ、ＣＰＵ３５１によって演算処理された処理結果のデータなどを記憶する。なお、プログラムは、コンピュータが読み取り可能なプログラムコードの形でＲＯＭ３５３に記憶されている。
具体的には、ＲＯＭ３５３には、例えば、電源オフ移行通知プログラム３５３ａと、電源オフ状態通知プログラム３５３ｂと、等が格納されている。
【００３５】
電源オフ移行通知プログラム３５３ａは、例えば、ＣＰＵ３５１に、クライアント端末装置６とのリンク中に電源オフに移行する場合に、予備電源部３４により、電源オフに移行することを通知する電源オフ移行通知信号を、クライアント端末装置６に送信する機能を実現するためのプログラムである。
具体的には、ＣＰＵ３５１は、クライアント端末装置６とのリンク中に、リモコン２の電源オン／オフキー２ａの操作に基づいて生成されたリモコン信号が、リモコン信号受光部３１により受信され、制御部３５に出力されると、当該リモコン信号に基づいて主電源部３３に制御信号を出力することにより、主電源部３３を電源オフ状態に制御してサーバ装置３の全装置構成部への電源供給を停止させ、さらに、予備電源部３４からの電源供給に基づいて、電源オフに移行することを通知する電源オフ移行通知信号を、無線通信部３６によりクライアント端末装置６に送信する。
ＣＰＵ３５１は、かかる電源オフ移行通知プログラム３５３ａを実行することにより、電源オフ移行通知手段として機能する。
【００３６】
電源オフ状態通知プログラム３５３ｂは、例えば、ＣＰＵ３５１に、電源オフの間、予備電源部３４により、電源オフ状態であることを通知する電源オフ状態通知信号を、所定の間隔で、クライアント端末装置６に送信する機能を実現するためのプログラムである。
具体的には、ＣＰＵ３５１は、主電源部３３が電源オフ状態で全装置構成部への電源供給がオフの間、所定の間隔（例えば、１回／秒）で、電源がオフの状態であることを通知する電源オフ状態通知信号を、予備電源部３４からの電源供給に基づいて、無線通信部３６によりクライアント端末装置６に送信する。
ＣＰＵ３５１は、かかる電源オフ状態通知プログラム３５３ｂを実行することにより、電源オフ状態通知手段として機能する。
【００３７】
無線通信部３６は、無線ネットワークＮを介して、クライアント端末装置６との間で各種情報の送受信を行う。具体的には、無線通信部３６は、クライアント端末装置６との間で無線信号の送受信を行うためのアンテナ３６ａやＲＦ（Radio Frequency）変換器（図示省略）、Bluetooth規格やIEEE802.11規格に準じた無線ＬＡＮに接続するための無線ＬＡＮカード（図示省略）などを備えている。
具体的には、本発明における無線通信部３６は、電源オフ移行通知信号をクライアント端末装置６の無線通信部６２（後述）に送信するとともに、電源オフ状態通知信号をクライアント端末装置６の無線通信部６２に送信する。当該無線通信部３６は、電源オフ移行通知信号を送信することにより、電源オフ移行通知プログラム３５３ａを実行したＣＰＵ３５１とともに電源オフ移行通知手段を構成し、また、電源オフ状態通知信号を送信することにより、電源オフ状態通知プログラム３５３ｂを実行したＣＰＵ３５１とともに電源オフ移行通知手段を構成する。  
【００３８】
[クライアント端末装置の構成]
クライアント端末装置６は、例えば、図２に示すように、リモコン信号受光部６１、無線通信部６２、デコーダ６３、制御部６４などを備えて構成される。各部は、バス６５によって接続されている。そして、クライアント端末装置６は、出力装置４を接続しており、リモコン５によって操作できるようになっている。
【００３９】
出力装置４は、例えば、クライアント端末装置６から入力されるコンテンツ情報（映像情報や音声情報）を出力する。具体的には、例えば、出力装置４は、映像情報を出力するモニタ４１ａを備える映像出力部４１や、音声情報を出力するスピーカ４２ａを備える音声出力部４２などを備えている。
【００４０】
リモコン信号受光部６１は、例えば、リモコン５から送信された各種リモコン信号を受信する。
【００４１】
無線通信部６２は、サーバ装置３の無線通信部３６とほぼ同様の構成であって、無線ネットワークＮを介して、サーバ装置３との間で各種情報の送受信を行う。具体的には、無線通信部６２は、サーバ装置３との間で無線信号の送受信を行うためのアンテナ６２ａやＲＦ（Radio Frequency）変換器（図示省略）、Bluetooth規格やIEEE802.11規格に準じた無線ＬＡＮに接続するための無線ＬＡＮカード（図示省略）などを備えている。
具体的には、本発明における無線通信部６２は、サーバ装置３から送信された電源オフ移行通知信号を受信するとともに、サーバ装置３から送信された電源オフ状態通知信号を受信する。当該無線通信部６２は、電源オフ移行通知信号及び電源オフ状態通知信号を受信することにより、受信プログラム６４３ａを実行したＣＰＵ６４１とともに受信手段を構成する。  
【００４２】
デコーダ６３は、例えば、制御部６４からの指示に従って、無線通信部６２により受信されたコンテンツを、デコードして、出力装置４に出力する。
【００４３】
制御部６４は、例えば、図２に示すように、ＣＰＵ６４１、ＲＡＭ６４２、ＲＯＭ６４３などを備えている。
【００４４】
ＣＰＵ６４１は、ＲＯＭ６４３に記憶されたクライアント端末装置６用の各種処理プログラムに従って各種の制御動作を行う。
【００４５】
ＲＡＭ６４２は、ＣＰＵ６４１によって実行される処理プログラムなどを展開するためのプログラム格納領域や、入力データや上記処理プログラムが実行される際に生じる処理結果などを格納するデータ格納領域などを備える。
【００４６】
ＲＯＭ６４３は、クライアント端末装置６で実行可能なシステムプログラム、当該システムプログラムで実行可能な各種処理プログラム、これら各種処理プログラムを実行する際に使用されるデータ、ＣＰＵ６４１によって演算処理された処理結果のデータなどを記憶する。なお、プログラムは、コンピュータが読み取り可能なプログラムコードの形でＲＯＭ６４３に記憶されている。
具体的には、ＲＯＭ６４３には、例えば、受信プログラム６４３ａと、第１の報知プログラム６４３ｂと、第２の報知プログラム６４３ｃと、等が格納されている。
【００４７】
受信プログラム６４３ａは、例えば、ＣＰＵ６４１に、サーバ装置３から送信された電源オフ移行通知信号及び電源オフ状態通知信号を受信する機能を実現させるためのプログラムである。
具体的には、ＣＰＵ６４１は、サーバ装置３とのリンク中に、無線ネットワークＮを介してサーバ装置３から送信された電源オフ移行通知信号を、無線通信部６２により受信する。
また、ＣＰＵ６４１は、サーバ装置３とのリンクの切断状態において、リンク確立要求をサーバ装置３に送信し、サーバ装置３からリンク確立応答が送信されずリンクの確立に失敗した場合に、無線ネットワークＮを介してサーバ装置３から送信された電源オフ状態通知信号を、無線通信部６２により受信する。
ＣＰＵ６４１は、かかる受信プログラム６４３ａを実行することにより、受信手段として機能する。
【００４８】
第１の報知プログラム６４３ｂは、例えば、ＣＰＵ６４１に、受信プログラム６４３ａの実行による電源オフ移行通知信号の受信に基づいて、サーバ装置３が電源オフに移行したことを報知する機能を実現させるためのプログラムである。
具体的には、ＣＰＵ６４１は、上述の受信プログラム６４３ａの実行により、サーバ装置３から送信された電源オフ移行通知手段を無線通信部６２により受信すると、受信した電源オフ移行通知信号に基づいて、図３に示すように、サーバ装置３の電源がオフされたことをユーザに報知するための表示（例えば、「ＳＥＲＶＥＲ電源ＯＦＦ」等）を映像出力部４１のモニタ４１ａに表示させる。
ＣＰＵ６４１は、かかる第１の報知プログラム６４３ｂを実行することにより、第１の報知手段（報知手段）として機能する。
【００４９】
第２の報知プログラム６４３ｃは、例えば、ＣＰＵ６４１に、受信プログラム６４３ａの実行による電源オフ状態通知信号の受信に基づいて、サーバ装置３が電源オフ状態であることを報知する機能を実現させるためのプログラムである。
具体的には、ＣＰＵ６４１は、上述の受信プログラム６４３ａの実行により、サーバ装置３から送信された電源オフ状態通知信号を無線通信部６２を介して受信すると、受信した電源オフ状態通知信号に基づいて、図３に示すように、サーバ装置３の電源がオフ状態であることをユーザに報知するための表示（例えば、「ＳＥＲＶＥＲ電源ＯＦＦ」等）を映像出力部４１のモニタ４１ａに表示させる。第１の報知プログラム６４３ｂ及び第２の報知プログラム６４３ｃにおけるこれらの表示は、ＲＯＭ６４３の所定の領域に格納されたデータに基づいて行われる。
ＣＰＵ６４１は、かかる第２の報知プログラム６４３ｃを実行することにより、第２の報知手段（報知手段）として機能する。
【００５０】
＜クライアント・サーバシステムによる電源オフ移行通知処理＞
次に、本クライアント・サーバシステムＳによる電源オフ移行通知処理について、図４のフローチャートを参照して説明する。
【００５１】
本処理は、サーバ装置３とクライアント端末装置６間との間にリンクが確立しており、情報の送受信が行われている際に実行される処理である。まず、ステップＳ１において、サーバ装置３のＣＰＵ３５１は、リモコン信号受光部３１からの信号入力を監視し、リモコン２における電源オン／オフキー２ａが操作されたか否かを判断する。ＣＰＵ３５１は、ステップＳ１において、電源オン／オフキー２ａが操作されたと判断すると（ステップＳ１；Ｙｅｓ）、ステップＳ２において、主電源部３３に制御信号を出力することにより、主電源部３３を電源オフ状態に制御してサーバ装置３の全装置構成部への電源供給を停止させ、さらに、ステップＳ３において、予備電源部３４からの電源供給により、電源オフに移行することを通知する電源オフ移行通知信号を、無線通信部６２を介してクライアント端末装置６に送信し、本処理を終了する。
一方、クライアント端末装置６は、ステップＳ４において、サーバ装置３から送信された電源オフ移行通知信号を無線通信部６２において受信すると、ステップＳ５において、受信した電源オフ移行通信信号に基づいて、サーバ装置３の電源がオフされたことをユーザに報知するための表示を映像出力部４１に表示させ、本処理を終了する。
【００５２】
＜クライアント・サーバシステムによる電源オフ状態通知処理＞
次に、本クライアント・サーバシステムＳによる電源オフ状態通知処理におけるサーバ装置３の処理について、図５のフローチャートを参照して説明する。本処理は、サーバ装置３が電源オフ状態であり、サーバ装置３とクライアント端末装置６間のリンクが切断された状態で実行される処理である。
【００５３】
サーバ装置３は、予備電源部３４による電源供給により稼動し、ＣＰＵ３５１は、ステップＳ１１において、計時を開始し、ステップＳ１２において、計時を開始してから所定時間（例えば、１秒間）が経過したか否かを判断する。ＣＰＵ３５１は、ステップＳ１２において、計時開始から所定時間が経過したと判断すると（ステップＳ１２；Ｙｅｓ）、電源がオフの状態であることを通知する電源オフ状態通知信号を、予備電源部３４からの電源供給に基づいて、無線通信部３６によりクライアント端末装置６に送信し、再び、ステップＳ１１に移行して、上記処理を繰り返す。
【００５４】
続いて、本クライアント・サーバシステムＳによる電源オフ状態通知処理におけるクライアント端末装置６の処理について、図６のフローチャートを参照して説明する。
【００５５】
クライアント端末装置６のＣＰＵ６４１は、ステップＳ２１において、リモコン信号受光部６１からの信号入力を監視し、リモコン５において、一のコンテンツ情報に対する制御要求を行う所定のキーが操作されたか否かを判断する。ＣＰＵ６４１は、リモコン５における所定キーの操作が有ったと判断すると（ステップＳ２１；Ｙｅｓ）、無線通信部３６により、リンク確立要求をサーバ装置３に対して送信する（ステップＳ２２）。次に、ステップＳ２３において、ＣＰＵ６４１は、サーバ装置３から送信されるリンク確立応答を受信したか否かを判断し、リンク確立応答を受信したと判断した場合には（ステップＳ２３；Ｙｅｓ）、クライアント端末装置６とサーバ装置３との間でリンクが確立する（ステップＳ２４）。
一方、ステップＳ２３において、サーバ装置３から送信されるリンク確立応答を受信していないと判断すると（ステップＳ２３；Ｎｏ）、ＣＰＵ６４１は、所定時間が経過するまで、ステップＳ２３における判断処理を繰り返し、所定時間が経過すると、ステップＳ２５に進んで、サーバ装置３から送信される電源オフ状態通知信号を受信したか否かを判断する（ステップＳ２５）。ＣＰＵ６４１は、電源オフ状態通知信号を受信しないと判断すると（ステップＳ２５；Ｎｏ）、所定時間が経過するまで、ステップＳ２５における判断処理を繰り返し、所定時間が経過すると、本処理を終了する。一方、ＣＰＵ６４１は、ステップＳ２５において、電源オフ状態通知信号を受信したと判断すると（ステップＳ２５；Ｙｅｓ）、受信した電源オフ状態通知信号に基づいて、サーバ装置３の電源がオフ状態である旨を報知する画面を映像出力部４１のモニタ４１ａに表示させ（ステップＳ２６）、本処理を終了する。
【００５６】
以上説明した本発明にかかるクライアント・サーバシステムＳによれば、サーバ装置３は、ＣＰＵ３５１による電源オフ移行通知プログラム３５３ａの実行により、クライアント端末装置６とのリンク中に電源オフに移行する場合に、予備電源部３４により、電源オフに移行することを通知する電源オフ移行通知信号を、クライアント端末装置６に送信し、ＣＰＵ３５１による電源オフ状態通知プログラム３５３ｂの実行により、電源オフの間、予備電源部３４により、電源オフ状態であることを通知する電源オフ状態通知信号を、所定の間隔で、クライアント端末装置６に送信する。また、クライアント端末装置６は、ＣＰＵ６４１による受信プログラム６４３ａの実行により、電源オフ移行通知プログラム３５３ａの実行により送信された電源オフ移行通知信号及び電源オフ状態通知信号を受信し、第１の報知プログラム６４３ｂの実行により、電源オフ移行通知信号の受信に基づいてサーバ装置３が電源オフに移行したことをユーザに報知し、第２の報知プログラム６４３ｃの実行により、電源オフ状態通知信号の受信に基づいてサーバ装置３が電源オフ状態であることをユーザに報知する。
従って、当該電源オフ移行通知信号の受信に基づく第１の報知プログラム６４３ｂによる報知及び電源オフ状態通知信号の受信に基づく第２の報知プログラム６４３ｃによる報知により、クライアント端末装置６からサーバ装置３にリンクできない場合に、サーバ装置３の電源がオフであることが原因でリンクできないことを、ユーザが明確に認識することができる。
【００５７】
なお、本発明は、上記実施の形態に限定されることなく、本発明の趣旨を逸脱しない範囲において種々の改良並びに設計の変更を行ってもよい。
例えば、電源オフ移行通知プログラム３５３ａの実行において、電源オフ移行通知信号は、主電源部３３による電源供給を停止した後に、予備電源部３４からの電源供給によりクライアント端末装置６に送信される構成について説明したが、主電源部３３による電源供給を停止する前に主電源部３３により電源オフ移行通知信号を送信させる構成であっても良い。
また、例えば、第１の報知プログラム６４３ｂ、第２の報知プログラム６４３ｂの実行における報知方法は、上記実施の形態で示したものに限られず、例えば、音声やＬＥＤ（Light Emitting Diode）ランプ等による報知であっても良い。
【図面の簡単な説明】
【００５８】
【図１】本発明を適用した好適な一実施形態のクライアント・サーバシステムの全体構成を模式的に示す図である。
【図２】図１のクライアント・サーバシステムを構成するサーバ装置と、クライアント端末装置の要部構成を示すブロック図である。
【図３】第１の報知プログラム及び第２の報知プログラムの実行における映像出力部の表示を例示する図である。
【図４】図１のクライアント・サーバシステムによる電源オフ移行通知処理に係る動作の一例を示すフローチャートである。
【図５】図１のクライアント・サーバシステムによる電源オフ状態通知処理に係るサーバ装置の動作の一例を示すフローチャートである。
【図６】図１のクライアント・サーバシステムによる電源オフ状態通知処理に係るクライアント端末装置の動作の一例を示すフローチャートである。
【符号の説明】
【００５９】
３        サーバ装置
３４      予備電源部（予備電源）
３５１    ＣＰＵ（電源オフ移行通知手段、電源オフ状態通知手段）
３５３ａ  電源オフ移行通知プログラム（電源オフ移行通知手段）
３５３ｂ  電源オフ状態通知プログラム（電源オフ状態通知手段）
６        クライアント端末装置
６５１    ＣＰＵ（受信手段、第１の報知手段、第２の報知手段）
６４３ａ  受信プログラム（受信手段）
６４３ｂ  第１の報知プログラム（第１の報知手段、報知手段）
６４３ｃ  第２の報知プログラム（第２の報知手段、報知手段）
Ｎ        無線ネットワーク
Ｓ        クライアント・サーバシステム
【図１】
2007293775.tif 000003
【図２】
2007293775.tif 000004
【図３】
2007293775.tif 000005
【図４】
2007293775.tif 000006
【図５】
2007293775.tif 000007
【図６】
2007293775.tif 000008